(57)【要約】【課題】送信または受信した電子メールの検索を容易にする。【解決手段】氏名選択部１０８ａにより氏名を選択すると、それに対応するメールアドレスをアドレス取得部１０２ａが氏名アドレス記録部１０６ａから取得する。メールアドレスを検索対象メール切替部１０２ｂを介して受信メール検索部１０２ｃ（送信メール検索部１０２ｄ）に送る。受信メール検索部１０２ｃ（送信メール検索部１０２ｄ）が、受信メール記録部１０６ｂ（送信メール記録部１０６ｃ）からメールアドレスが送信元（送信先）であるメールを検索し、そのタイトルがメール情報表示部１１０ｂに表示される。これにより、受信（送信）した電子メールから、所望の電子メールを検索できる。よって、フォルダを多数作成しておく必要がなく、受信（送信）した電子メールの検索が容易になる。【選択図】　図２
2004038431.tif 000002
【特許請求の範囲】
【請求項１】
検索条件を入力する検索条件入力手段と、
前記検索条件に対応づけて検索対象を記録する検索対象記録手段と、
前記検索条件入力手段により入力された前記検索条件に対応づけられた前記検索対象を前記検索対象記録手段から検索する検索対象検索手段と、
を備えた携帯情報通信端末。
【請求項２】
請求項１に記載の携帯情報通信端末であって、
前記検索対象検索手段が検索した前記検索対象に関する情報を表示する検索対象情報表示手段を備えた携帯情報通信端末。
【請求項３】
請求項１または２に記載の携帯情報通信端末であって、
前記検索対象は受信した電子メールであり、
前記検索条件は前記受信した電子メールの送信元の電子メールアドレスである、
携帯情報通信端末。
【請求項４】
請求項１または２に記載の携帯情報通信端末であって、
前記検索対象は送信した電子メールであり、
前記検索条件は前記送信した電子メールの送信先の電子メールアドレスである、
携帯情報通信端末。
【請求項５】
請求項１または２に記載の携帯情報通信端末であって、
前記検索対象は受信した電子メールであり、
前記検索条件は前記受信した電子メールの受信時、前記受信した電子メールに含まれる語句および前記受信した電子メールに添付されたファイルの有無の内の一つ以上である、
携帯情報通信端末。
【請求項６】
請求項１または２に記載の携帯情報通信端末であって、
前記検索対象は送信した電子メールであり、
前記検索条件は前記送信した電子メールの送信時、前記送信した電子メールに含まれる語句および前記送信した電子メールに添付されたファイルの有無の内の一つ以上である、
携帯情報通信端末。
【請求項７】
請求項２に記載の携帯情報通信端末であって、
前記検索対象は受信した電子メールおよび送信した電子メールであり、
前記検索対象情報表示手段は、前記受信した電子メールに関する情報および前記送信した電子メールに関する情報を同時に表示する、
携帯情報通信端末。
【請求項８】
請求項７に記載の携帯情報通信端末であって、
前記検索対象情報表示手段は、前記受信した電子メールに関する情報および前記送信した電子メールに関する情報を同時に表示態様を変更して表示する、
携帯情報通信端末。
【請求項９】
検索条件を入力する検索条件入力処理と、
前記検索条件に対応づけて検索対象を記録する検索対象記録処理と、
前記検索条件入力処理により入力された前記検索条件に対応づけられた前記検索対象を前記検索対象記録処理により記録されたものから検索する検索対象検索処理と、
をコンピュータに実行させるためのプログラム。
【請求項１０】
検索条件を入力する検索条件入力処理と、
前記検索条件に対応づけて検索対象を記録する検索対象記録処理と、
前記検索条件入力処理により入力された前記検索条件に対応づけられた前記検索対象を前記検索対象記録処理により記録されたものから検索する検索対象検索処理と、
をコンピュータに実行させるためのプログラムを記録したコンピュータによって読み取り可能な記録媒体。
【発明の詳細な説明】
【０００１】
【発明の属する技術分野】
本発明は、携帯電話等の携帯情報通信端末において送受信したメールの検索に関する。
【０００２】
【従来の技術】
従来より、携帯電話等の携帯情報通信端末において、電子メールを送受信することが行われている。この電子メールの内から必要なもの（例えば、ある特定の人から受信したメール）を検索して取得することがある。ここで、送受信した電子メールが多くなれば、電子メールの検索に多大な労力を費やすことになる。
【０００３】
そこで、送受信した電子メールを分類し、分類ごとに別々のフォルダに記録する。電子メールの検索にあたっては、検索および取得したい電子メールが所属する分類に対応したフォルダにアクセスすればよく、送受信した電子メールの全てを閲覧しなくてもよい。よって、電子メールの検索に費やす労力が軽減される。例えば、受信した電子メールを、送信者Ａ、Ｂ、Ｃ、…ごとに分類して、別々のフォルダに記録する。すると、送信者Ａから受信した電子メールを検索し取得したい場合は、送信者Ａから受信した電子メールを記録したフォルダにアクセスすればよい。
【０００４】
【発明が解決しようとする課題】
しかしながら、分類が多くなりすぎるとフォルダも多くなり、多数のフォルダの管理に多大な労力を費やすことになる。例えば、受信した電子メールを送信者Ａ、Ｂ、Ｃ、…ごとに分類する場合、送信者が数多くいる場合がある。すると、送信者の人数だけフォルダを作成しなければならず、フォルダが多くなる。よって、フォルダの管理に多大な労力を費やすことになる。結局、電子メールの検索に必要な労力が多大であることに変わりは無い。
【０００５】
そこで、本発明は、送信または受信した電子メールの検索を容易にすることを課題とする。
【０００６】
【課題を解決するための手段】
本発明は携帯情報通信端末に関する。本発明に係る携帯情報通信端末は、検索条件入力手段、検索対象記録手段、検索対象検索手段を備える。
【０００７】
検索条件入力手段は、検索条件を入力する。検索対象記録手段は、検索条件に対応づけて検索対象を記録する。検索対象検索手段は、検索条件入力手段により入力された検索条件に対応づけられた検索対象を検索対象記録手段から検索する。
【０００８】
上記のように構成された発明によれば、送信元の電子メールアドレス等の検索条件を入力すれば、受信した電子メール等の検索対象から、所望の電子メール等を検索できる。よって、フォルダを多数作成しておく必要がなく、受信した電子メール等の検索が容易になる。
【０００９】
【発明の実施の形態】
以下、本発明の実施の形態を図面を参照して説明する。
【００１０】
図１に、本発明の実施の形態にかかる携帯電話１００のハードウェアブロック図を示す。携帯電話１００は、制御部１０２、メモリ１０６、操作部１０８、表示部１１０、ＤＳＰ（Ｄｉｇｉｔａｌ　Ｓｉｇｎａｌ　Ｐｒｏｃｅｓｓｏｒ）１２０、スピーカ１２２ａ、ｂ、マイク１２４、受信部（ＲＸ）１２６、送信部（ＴＸ）１２８、デュプレクサ１３０、アンテナ１３２を備える。
【００１１】
制御部１０２は、メモリ１０６からデータおよびプログラムを読出し、メモリ１０６にデータおよびプログラムを書き込み、操作部１０８からユーザの操作内容を取得する。さらに、制御部１０２は、表示部１１０に表示内容を書き込む。そして、制御部１０２は、ＤＳＰ１２０とデータの受け渡しを行なう。
【００１２】
メモリ１０６は、データおよびプログラムを記録する。操作部１０８は、ユーザの操作を受け付ける。表示部１１０は、書き込まれた表示内容を表示する。
【００１３】
ＤＳＰ１２０は制御部１０２とデータの受け渡しを行なう。また、ＤＳＰ１２０はスピーカ１２２ａに音声出力の内容を出力し、マイク１２４からユーザの音声の信号を取得する。ＤＳＰ１２０は、さらに制御部１０２から受けたデータおよびマイク１２４から取得した音声の信号を送信部（ＴＸ）１２８に送り、受信部（ＲＸ）１２６から受けた受信信号をスピーカ１２２ａおよび制御部１０２に送る。
【００１４】
スピーカ１２２ａはＤＳＰ１２０から受けた受信信号を音声として出力する。スピーカ１２２ｂはその他の用途（例えば、ビープ音、着信音を鳴らす）のためのスピーカであり、ＤＳＰ１２０により制御される。マイク１２４は、ユーザの音声を取得する。
【００１５】
受信部（ＲＸ）１２６は、デュプレクサ１３０から出力された受信信号をＤＳＰ１２０に出力する。送信部（ＴＸ）１２８は、ＤＳＰ１２０から出力された送信信号をデュプレクサ１３０に出力する。デュプレクサ１３０は、アンテナ１３２を介して受信した受信信号を受信部（ＲＸ）１２６に、送信部（ＴＸ）１２８から出力された送信信号をアンテナ１３２に出力する。アンテナ１３２は、送信信号を送信し、受信信号を受信するためのアンテナである。なお、送信信号および受信信号は例えば電子メールに関するものである。
【００１６】
図２は、本発明の実施の形態にかかる携帯電話１００の機能ブロック図である。携帯電話（携帯情報通信端末）１００は、アドレス取得部１０２ａ、検索対象メール切替部１０２ｂ、受信メール検索部１０２ｃ、送信メール検索部１０２ｄ、メール読出部１０２ｅ、氏名アドレス記録部１０６ａ、受信メール記録部１０６ｂ、送信メール記録部１０６ｃ、氏名選択部１０８ａ、検索対象メール選択部１０８ｂ、検索条件選択部１０８ｃ、表示メール選択部１０８ｄ、氏名表示部１１０ａ、メール情報表示部１１０ｂ、メール表示部１１０ｃを備える。
【００１７】
氏名アドレス記録部１０６ａは、携帯電話１００が電子メールを送受信する相手の氏名と電子メールアドレスとを記録する。氏名アドレス記録部１０６ａの記録内容の一例を図３に示す。図３に示す例においては、氏名と電子メールアドレスとが対応づけられて記録されている。例えば、氏名”ｆｏｏ”の人の電子メールアドレスが”ｆｏｏ＠ｂａｒ．ｃｏｍ”であるということが記録されている。
【００１８】
氏名表示部１１０ａは、氏名アドレス記録部１０６ａから氏名を読み出して表示する。氏名選択部１０８ａは、氏名表示部１１０ａにより表示された氏名を選択する。氏名の表示および選択の際の表示部１１０の表示内容を図４に示す。氏名表示部１１０ａが氏名を一列に表示する。氏名選択部１０８ａはカーソルを氏名”ｆｏｏ”にあわせて、氏名”ｆｏｏ”を選択する。
【００１９】
アドレス取得部１０２ａは、氏名選択部１０８ａにより選択された氏名に対応する電子メールアドレスを、氏名アドレス記録部１０６ａから読み出す。図４に示すように氏名”ｆｏｏ”が選択された場合、氏名アドレス記録部１０６ａから電子メールアドレスが”ｆｏｏ＠ｂａｒ．ｃｏｍ”が読み出される。この電子メールアドレスが検索条件となる。すなわち、アドレス取得部１０２ａ、氏名アドレス記録部１０６ａ、氏名選択部１０８ａ、氏名表示部１１０ａが検索条件を入力する検索条件入力手段を構成している。
【００２０】
検索対象メール切替部１０２ｂは、検索対象とするメールの種類を切り替える。すなわち、携帯電話１００が受信した電子メール（以下、「受信メール」という）を検索対象とするのか、携帯電話１００が送信した電子メール（以下、「送信メール」という）を検索対象とするのかを決定する。そして、アドレス取得部１０２ａが読み出した電子メールアドレスを、受信メールが検索対象の場合は受信メール検索部１０２ｃに、送信メールが検索対象の場合は送信メール検索部１０２ｄに送る。
【００２１】
なお、検索対象メール切替部１０２ｂによる検索対象とするメールの種類の切替を停止し、受信メールおよび送信メールの両者を検索対象とすることも可能である。
【００２２】
検索対象メール選択部１０８ｂは、検索対象とするメールの種類を選択し、検索対象メール切替部１０２ｂに送る。検索対象メール選択部１０８ｂは、例えば図５に示すように、表示部１１０に選択肢（受信メール、送信メール、受信メールおよび送信メールの両者）を表示しておき、その選択肢（例えば、受信メール）をカーソル等により選択させる。
【００２３】
検索条件選択部１０８ｃは、電子メールアドレス以外の検索条件を選択するためのものである。検索条件選択部１０８ｃの一例を図６に示す。検索条件選択部１０８ｃは、図６に示すように、表示部１１０に各検索条件の入力欄を設けておき、テンキーなどにより入力させる。検索条件には、メール日付すなわち受信（送信）した電子メールの受信（送信）日、受信（送信）した電子メールの本文に含まれる語句（キーワード）および受信（送信）した電子メールに添付されたファイルの有無などがある。
【００２４】
受信メール記録部１０６ｂは、検索対象である受信メールを、検索条件（送信元の電子メールアドレス等）に対応づけて記録する。送信メール記録部１０６ｃは、検索対象である送信メールを、検索条件（送信先の電子メールアドレス等）に対応づけて記録する。受信メール記録部１０６ｂおよび送信メール記録部１０６ｃの記録内容の一例を図７を参照して説明する。図７（ａ）に示すように、受信メール記録部１０６ｂは、検索対象である受信メールの、送信元の電子メールアドレス、タイトル、受信日、本文、添付ファイルを記録する。また、図７（ｂ）に示すように、送信メール記録部１０６ｃは、検索対象である送信メールの、送信先の電子メールアドレス、タイトル、送信日、本文、添付ファイルを記録する。
【００２５】
受信メール検索部１０２ｃは、検索対象メール切替部１０２ｂから受けた検索条件（電子メールアドレス等）に対応付けられた受信メールを受信メール記録部１０６ｂから検索する。送信メール検索部１０２ｄは、検索対象メール切替部１０２ｂから受けた検索条件（電子メールアドレス等）に対応付けられた送信メールを送信メール記録部１０６ｃから検索する。
【００２６】
メール情報表示部１１０ｂは、受信メール検索部１０２ｃまたは送信メール検索部１０２ｄが検索した電子メールに関する情報（例えば、タイトル）を表示する。メール情報表示部１１０ｂの表示内容の例を図８に示す。例えば、検索条件が電子メールアドレス”ｆｏｏ＠ｂａｒ．ｃｏｍ”、検索対象が受信メール（図７（ａ）参照）である場合、受信メールのタイトル×××、○○○が表示される（図８（ａ）参照）。
【００２７】
なお、受信メールおよび送信メールの両者を検索対象とする場合は、検索条件が電子メールアドレス”ｆｏｏ＠ｂａｒ．ｃｏｍ”の場合の例は図８（ｂ）に示すように受信メールのタイトル×××、○○○および送信メールのタイトル△△△が同時に表示される。ここで、受信メールのタイトルと、送信メールのタイトルとは色を変えて表示することが好ましい。
【００２８】
表示メール選択部１０８ｄは、メール情報表示部１１０ｂに表示されたタイトルから本文を表示させるメールを選択する。選択は、図８（ａ）に示すように、カーソルを、本文を表示させたいメールのタイトル（例、×××）にあわせて選択する。
【００２９】
メール読出部１０２ｅは、受信メール記録部１０６ｂおよび送信メール記録部１０６ｃから表示メール選択部１０８ｄにより選択されたタイトルの電子メールを読み出す。
【００３０】
メール表示部１１０ｃは、メール読出部１０２ｅが読み出した電子メールを表示する。表示メール選択部１０８ｄの選択内容が図８（ａ）に示すようなものである場合、受信メール（送信元電子メールアドレス”ｆｏｏ＠ｂａｒ．ｃｏｍ”、タイトル×××）が図９に示すように表示される。
【００３１】
次に、本発明の実施形態の動作を図１０のフローチャートを参照して説明する。
【００３２】
まず、氏名表示部１１０ａが氏名アドレス記録部１０６ａから氏名を読み出して表示する（Ｓ１０）。そして、表示された氏名から表示させたいメールに関するものを氏名選択部１０８ａにより選択する（Ｓ１２）。さらに、検索対象メール選択部１０８ｂにより受信メールの検索および送信メールの検索のいずれかを選択する（Ｓ１４）。なお、ここで、他の検索条件（受信日（送信日）等）を検索条件選択部１０８ｃにより選択してもよい。
【００３３】
受信メールの検索が選択された場合（Ｓ１４、受信）、受信メール検索部１０２ｃが検索条件に対応する受信メールを受信メール記録部１０６ｂから検索し、検索された受信メールのタイトル一覧をメール情報表示部１１０ｂに表示させる（Ｓ２０）。そして、表示メール選択部１０８ｄにより本文を表示させるメールを選択する（Ｓ２２）。最後に、選択された受信メールをメール表示部１１０ｃが表示する（Ｓ２４）。
【００３４】
送信メールの検索が選択された場合（Ｓ１４、送信）、送信メール検索部１０２ｄが検索条件に対応する受信メールを送信メール記録部１０６ｃから検索し、検索された送信メールのタイトル一覧をメール情報表示部１１０ｂに表示させる（Ｓ３０）。そして、表示メール選択部１０８ｄにより本文を表示させるメールを選択する（Ｓ３２）。最後に、選択された送信メールをメール表示部１１０ｃが表示する（Ｓ３４）。
【００３５】
本発明の実施形態によれば、送信元の電子メールアドレス等の検索条件をアドレス取得部１０２ａ、氏名アドレス記録部１０６ａ、氏名選択部１０８ａ、氏名表示部１１０ａ等により入力すれば、受信メール記録部１０６ｂに記録された受信メール等の検索対象から、所望の電子メール等を検索できる。よって、フォルダを多数作成しておく必要がなく、受信メール等の検索が容易になる。
【００３６】
また、上記の実施形態は、以下のようにして実現できる。ＣＰＵ、ハードディスク、フラッシュメモリ、メディア（フロッピーディスク、ＣＤ−ＲＯＭ、メモリスティックなど）読み取り装置を備えたコンピュータのメディア読み取り装置に、上記の各部分を実現するプログラムを記録したメディアを読み取らせて、ハードディスク、フラッシュメモリなどにインストールする。このような方法でも、上記の機能を実現できる。
【００３７】
【発明の効果】
本発明によれば、送信元の電子メールアドレス等の検索条件を入力すれば、受信した電子メール等の検索対象から、所望の電子メール等を検索できる。よって、フォルダを多数作成しておく必要がなく、受信した電子メール等の検索が容易になる。
【図面の簡単な説明】
【図１】本発明の実施の形態にかかる携帯電話１００のハードウェアブロック図である。
【図２】本発明の実施の形態にかかる携帯電話１００の機能ブロック図である。
【図３】氏名アドレス記録部１０６ａの記録内容の一例を示す図である。
【図４】氏名の表示および選択の際の表示部１１０の表示内容を示す図である。
【図５】検索対象メール選択部１０８ｂによる選択の例を示す図である。
【図６】検索条件選択部１０８ｃによる選択の例を示す図である。
【図７】受信メール記録部１０６ｂおよび送信メール記録部１０６ｃの記録内容の一例を示す図である。
【図８】メール情報表示部１１０ｂの表示内容の例を示す図である。
【図９】メール表示部１１０ｃによる表示内容を示す図である。
【図１０】本発明の実施形態の動作を示すフローチャートである。
【符号の説明】
１００　携帯電話（携帯情報通信端末）
１０２ａ　アドレス取得部
１０２ｂ　検索対象メール切替部
１０２ｃ　受信メール検索部
１０２ｄ　送信メール検索部
１０２ｅ　メール読出部
１０６ａ　氏名アドレス記録部
１０６ｂ　受信メール記録部
１０６ｃ　送信メール記録部
１０８ａ　氏名選択部
１０８ｂ　検索対象メール選択部
１０８ｃ　検索条件選択部
１０８ｄ　表示メール選択部
１１０ａ　氏名表示部
１１０ｂ　メール情報表示部
１１０ｃ　メール表示部
【図１】
2004038431.tif 000003
【図２】
2004038431.tif 000004
【図３】
2004038431.tif 000005
【図４】
2004038431.tif 000006
【図５】
2004038431.tif 000007
【図６】
2004038431.tif 000008
【図７】
2004038431.tif 000009
【図８】
2004038431.tif 000010
【図９】
2004038431.tif 000011
【図１０】
2004038431.tif 000012